(57)【特許請求の範囲】
【請求項１】
開放端がシール部材によって封止されたカップ本体と、前記シール部材を破断して開封する切刃部材が設けられて前記カップ本体に被着される蓋体とを備える蓋付カップ容器であって、
前記切刃部材は、前記蓋体の天面部にヒンジ部を介して回動可能に連結された回動板と、該回動板の下面に形成された切刃部とを有し、
前記回動板に、前記切刃部材を前記ヒンジ部回りで回動させる押下部と、前記カップ本体内の内容物を取り出す取出口部とが離間して形成され、
前記押下部の押下により、前記切刃部材が、前記天面部に対して起立する起立状態から前記天面部に形成された開口部を閉じる閉状態まで、前記ヒンジ部回りで回動して前記シール部材を破断し、
前記切刃部材が、前記切刃部材を前記天面部に対して起立する起立状態から前記天面部に形成された開口部を閉じる閉状態まで回動させることで、前記ヒンジ部回りで回動し、前記シール部材を破断する副切刃部を有することを特徴とする蓋付カップ容器。
【請求項２】
前記蓋体が、前記切刃部材の前記起立状態を保持する起立状態保持部を有することを特徴とする請求項１に記載の蓋付カップ容器。
【請求項３】
前記蓋体が、前記切刃部材の前記閉状態を保持する閉状態保持部を有することを特徴とする請求項１または２に記載の蓋付カップ容器。
【請求項４】
前記切刃部が、前記取出口部の周縁から前記回動板の押下方向に向けて延在し、互いに該取出口部から離間する先端部で接続される複数の切刃梁部を有することを特徴とする請求項１から３のいずれか１項に記載の蓋付カップ容器。
【発明の詳細な説明】
【技術分野】
【０００１】
本発明は、例えば飲料などが充填される蓋付カップ容器に関するものである。
【背景技術】
【０００２】
この種の蓋付カップ容器としては、例えば下記特許文献１に示すように、上方に向けて開口する開放端が形成されてこの開放端をシール部材で封止したカップ本体と、カップ本体の上部にシール部材を破断する切刃部材が設けられてカップ本体に被着される蓋体とを備えるものが提供されている。ここで、切刃部材は、シール部材と対向配置される天面部に設けられており、その下面側（シール部材に対向する側）に下側に向けて突出する切刃が形成されると共に、天面部と連結ヒンジ部により連結されていて、この連結ヒンジ部を中心として下側に向けて回動可能に構成されている。
【０００３】
このような構成の蓋付カップ容器は、切刃部材を上方から指などで押下して連結ヒンジ部を中心にして下側（シール部材側）へと回動させ、蓋体の下側に向けて突出された切刃によってシール部材を破断して開口し、カップ本体内に充填されている飲料などの内容物を外部へと取り出すことができるものである。
【特許文献１】特開２００５−２２７５７号公報
【発明の開示】
【発明が解決しようとする課題】
【０００４】
しかしながら、上記従来の蓋付カップ容器においても、以下の課題が残されている。すなわち、切刃部材を指で押し込んだ際に指がカップ本体内に入り込んで指に内容物が付着するおそれがある。また、切刃部材を必要以上に強く押下した場合には、内容物に切刃部材や指などが勢いよく入り込んで内容物が外部に飛散するおそれがある。さらに、蓋体の取出口部に設けられた切刃を指などで押し込むため、取出口部に指が触れることになる。このため、特に内容物が飲料などの食品の場合に衛生上の問題がある。
【０００５】
本発明は、前述の課題に鑑みてなされたもので、内容物が外部に飛散して指などに付着することを防止できると共に、切刃部材により開封する際に指などが取出口部に触れることなく衛生的である蓋付カップ容器を提供することを目的とする。また、内容物が食品の場合における衛生面を向上させることができる蓋付カップ容器を提供することを目的とする。
【課題を解決するための手段】
【０００６】
本発明は、上記のような課題を解決するために以下のような手段を採用した。すなわち、本発明の蓋付カップ容器は、開放端がシール部材によって封止されたカップ本体と、前記シール部材を破断して開封する切刃部材が設けられて前記カップ本体に被着される蓋体とを備える蓋付カップ容器であって、前記切刃部材は、前記蓋体の天面部にヒンジ部を介して回動可能に連結された回動板と、該回動板の下面に形成された切刃部とを有し、前記回動板に、前記切刃部材を前記ヒンジ部回りで回動させる押下部と、該押下部と離間して形成された取出口部とが形成され、前記押下部の押下により、前記切刃部材が、前記天面部に対して起立する起立状態から前記天面部に形成された開口部を閉じる閉状態まで、前記ヒンジ部回りで回動して前記シール部材を破断し、前記切刃部材が、前記切刃部材を前記天面部に対して起立する起立状態から前記天面部に形成された開口部を閉じる閉状態まで回動させることで、前記ヒンジ部回りで回動し、前記シール部材を破断する副切刃部を有することを特徴とする。
【０００７】
この発明では、切刃部材を閉状態にして開封するため内容物が取出口部以外の部分から外部に飛散しにくくなると共に、押下部と取出口部とが離間しているため開封時に取出口部に指などが触れず衛生的である。すなわち、開封時に回動板が開口部を塞ぐため、カップ本体を傾けて内容物を取り出す際、内容物が取出口部以外から外部に飛散、漏出しにくくなる。そして、指などに飛散した内容物が付着しにくくなる。また、切刃部がシール部材を破断して開封した際、押下部を押下している指などが取出口部に触れない。このため、取出口部を介して内容物を取り出す際に衛生的である。したがって、内容物の外部への飛散、漏出を防止できると共に、衛生的である。
また、シール部材が複数箇所において破断されるため、カップ本体内の内容物をスムーズに取り出せる。すなわち、切刃部によりシール部材に形成された開口を介して内容物を取り出すが、切刃部により形成された開口が内容物の流通により塞がれると、カップ本体の内圧の変化により、内容物が切刃部により形成された開口を流通しにくくなる。ここで、切刃部により形成される開口の他に副切刃部によってシール部材に他の開口を形成することで、この他の開口からカップ本体内に空気を流通させることができる。これにより、開口が内容物によって塞がれても、カップ本体の内圧変化を抑制し、内容物をスムーズに取り出せる。
【０００８】
また、本発明の蓋付カップ容器は、前記蓋体が、前記切刃部材の前記起立状態を保持する起立状態保持部を有することが好ましい。
この発明では、流通時の振動などによって誤ってシール部材が開封されることを抑制できる。
【０００９】
また、本発明の蓋付カップ容器は、前記蓋体が、前記切刃部材の前記閉状態を保持する閉状態保持部を有することが好ましい。
この発明では、カップ本体を傾けて内容物を取り出すときにおいて、回動板が回動して取出口部以外の部分から内容物が漏出することを抑制できる。また、押下部の押下時において、回動板が天面部よりも下方に回動して指などがカップ本体内に入り込むことをより確実に防止できる。
【００１１】
また、本発明の蓋付カップ容器は、前記切刃部が、前記取出口部の周縁から前記回動板の押下方向に向けて延在し、互いに該取出口部から離間する先端部で接続される複数の切刃梁部を有することが好ましい。
この発明では、切刃部により破断されたシール部材が切刃部に貼り付いて、破断されたシール部材によって取出口部が塞がれることを防止し、内容物をスムーズに取り出せる。
【発明の効果】
【００１２】
この発明にかかる蓋付カップ容器によれば、内容物の取り出し時において内容物が取出口部以外の部分から外部に飛散、漏出しにくくなり、押下部の押下時において内容物に指などが触れにくくなって衛生的である。
【発明を実施するための最良の形態】
【００１３】
以下、本発明による蓋付カップ容器の一実施形態を、図面に基づいて説明する。なお、以下の説明に用いる各図面では、各部材を認識可能な大きさとするために縮尺を適宜変更している。
【００１４】
本発明における蓋付カップ容器１は、図１から図３に示すように、例えば飲料などが充填されて流通するものであって、ユーザ（消費者）が購入して当該カップ容器から直接飲料などを飲むことができるものである。
蓋付カップ容器１は、図２及び図３に示すように、カップ本体１１と、蓋体１２と、外蓋１３とを備えている。なお、図１では、外蓋１３の図示を省略している。
【００１５】
カップ本体１１は、軸線Ｌに沿って延びる概略有底円筒状をなし、開放端２１により上部に向けて開口する。また、カップ本体１１は、図２に示すように、下方に向かうにしたがって縮径するテーパ胴部２２と、テーパ胴部２２の下端部に接続される底部２３とを備えている。
テーパ胴部２２の上端部分には、図２及び図３に示すように、カップ本体１１の径方向外方に向けて屈曲するフランジ部２４が形成されている。
【００１６】
フランジ部２４の上面には、開放端２１を封止するシール部材２５が貼着されている。
シール部材２５は、例えばアルミ蒸着シートなどのバリア性シート材で構成されており、下面に熱溶着層が形成されている。シール部材２５は、カップ本体１１内に飲料が充填された後にフランジ部２４の上面に熱溶着されており、カップ本体１１内の飲料が外部に漏出しないように封止している。なお、シール部材２５としてバリア性シート材を使用した場合には、空気などがカップ本体１１内に侵入することを防止して飲料の変質を防ぐこともできる。
【００１７】
蓋体１２は、カップ本体１１の開放端２１にシール部材２５が貼着された状態で、カップ本体１１の上部に被着されている。蓋体１２は、軸線Ｍを中心とした円筒状をなす側壁部３１と、側壁部３１の内周面に連設された天面部３２と、シール部材２５を破断する切刃部材３３とを備えている。
【００１８】
側壁部３１の下端には、円環状平面部３４と、装着筒部３５とが設けられている。
円環状平面部３４は、側壁部３１の外周面に連設されており、蓋体１２の径方向外方に向けて延びている。
装着筒部３５は、円環状平面部３４を介して側壁部３１に接続されており、側壁部３１よりも内径及び外径が一段大きくなっている。また、装着筒部３５の内周面には、蓋体１２の径方向内方に向けて突出する係合凸部３５Ａが形成されている。
【００１９】
係合凸部３５Ａの突出した部分における内径は、フランジ部２４の外径よりも小さくなっている。したがって、装着筒部３５をフランジ部２４に被せると、係合凸部３５Ａがフランジ部２４の下面側に係合し、円環状平面部３４または円環状平面部３４下面から垂下されたシール突部がフランジ部２４の上面にシール部材２５を介して当接され、蓋体１２がカップ本体１１に固定される構成となっている。また、蓋体１２をカップ本体１１に被着したとき、カップ本体１１の軸線Ｌと蓋体１２の軸線Ｍとは、一致する。
【００２０】
側壁部３１は、上方に向かうにしたがってその肉厚が薄くなっている。
また、側壁部３１には、図１及び図３に示すように、起立状態にある切刃部材３３に接続されて切刃部材３３の先端部が天面部３２よりも上方を向く起立状態を保持するブリッジ部（起立状態保持部）３６が形成されている。
【００２１】
天面部３２は、図２及び図３に示すように、蓋体１２の径方向内方の中央部分が周縁部分と比較して上方に向けて若干突出している。このように、天面部３２の中央部分を上方に向けて突出させることで、天面部３２とシール部材２５との間に空間があらかじめ形成される。このため、カップ本体１１内に高温の飲料などの内容液を充填した場合、カップ本体１１の内圧によりシール部材２５が上方に膨れるが、上方に膨れたシール部材２５によって天面部３２が変形されたり、シール部材２５が切刃部材３３に接触して破れたりすることが防止される。
【００２２】
天面部３２には、図１から図３に示すように、切刃部材３３を回動可能とするための開口部３７が形成されている。
開口部３７は、図１に示すように、天面部３２を直径方向でほぼ横断する帯状であって延在方向の中央部が幅方向の一方向に向けて突出する幅広部となっており、平面視においてほぼＴ字状をなしている。そして、開口部３７は、延在方向の一端が天面部３２の外周縁と接しており、切刃部材３３よりも若干大きく形成されている。これにより、切刃部材３３によるシール部材２５の破断が天面部３２に引っ掛かることなく行われる。
【００２３】
また、天面部３２における開口部３７の延在方向の他端に近接する縁部には、図１及び図３に示すように、上方に向けて突出する立上部３２Ａが形成されている。
立上部３２Ａには、起立状態にある切刃部材３３と接続されて切刃部材３３の起立状態を保持するブリッジ部（起立状態保持部）３８が形成されている。
【００２４】
そして、天面部３２における開口部３７の上記幅広部に近接する縁部には、図１及び図２に示すように、切刃部材３３が開口部３７を閉じる閉状態を保持する回動防止凸部（閉状態保持部）３９Ａ、３９Ｂが形成されている。
回動防止凸部３９Ａ、３９Ｂそれぞれは、天面部３２における開口部３７の上記幅広部と近接する縁部から開口部３７の内方に向けて突出して形成されている。そして、回動防止凸部３９Ａは天面部３２の下面側に形成されており、回動防止凸部３９Ｂは天面部３２の上面側に形成されている。このため、回動防止凸部３９Ａ、３９Ｂ間には、空隙が形成されている。なお、回動防止凸部３９Ｂにおける開口部３７の内方への突出量は、回動防止凸部３９Ａにおける開口部３７の内方への突出量よりも小さくなっている。
【００２５】
切刃部材３３は、図１から図３に示すように、回動板４１と切刃部４２と副切刃部４３とを有している。
回動板４１は、図１に示すように、開口部３７と同様に、ほぼ帯状であって延在方向の中央部が幅方向の一方向に向けて突出する押下部４４となっており、平面視においてほぼＴ字状をなしている。そして、回動板４１は、図１及び図２に示すように、開口部３７における天面部３２の縁部に形成されたヒンジ部４５を介して天面部３２に回動可能に接続されている。これにより、回動板４１は、幅方向において押下部４４から離間する一端辺を回動軸として回動可能となる。
【００２６】
押下部４４における回動軸から離間する先端部は、切刃部材３３をヒンジ部４５回りで回動させたときに、回動防止凸部３９Ａ、３９Ｂと係合可能となっている。
また、回動板４１には、図１から図３に示すように、飲口部（取出口部）４６が押下部４４と離間するように形成されている。飲口部４６は、図１に示すように、平面視でほぼ矩形状をなしており、回動板４１の延在方向における天面部３２の外周縁と近接する一端部に形成されている。
【００２７】
切刃部４２は、図２から図４に示すように、回動板４１の下面に下方に向けて突出して形成されており、４本の切刃梁部４７を有している。
切刃梁部４７は、それぞれが飲口部４６の各隅部から回動板４１の下方に向けて延びるように形成されており、互いが回動板４１から離間する先端において接続されている。このため、開口部３７の縁部と隣接する２本の切刃梁部４７とで囲まれた領域には、ほぼ三角形状の切刃口部４８が形成される。したがって、切刃部４２には、４つの切刃口部４８が形成されている。ここで、切刃部４２の先端と飲口部４６との距離は、シール部材２５と飲口部４６との距離よりも長くなっている。
【００２８】
副切刃部４３は、切刃部４２と同様に、回動板４１の下面であって回動板４１の延在方向における他端部に下方に向けて突出して形成（回動板４１に形成された空気口部の各隅部から回動板４１の下方に向けて延設）されており、４本の副切刃梁部４９を有している。副切刃部４３の突出量は、切刃部４２と同等である。
【００２９】
外蓋１３は、図２及び図３に示すように、蓋体１２のさらに外側において蓋体１２を覆うように被着されている。
外蓋１３は、軸線Ｎを中心とした円筒状をなす円筒部５１と、円筒部５１の上端に配置されて円筒部５１の上端開口部を覆う天板部５２とを備えている。
円筒部５１は、蓋体１２に被着可能となっている。そして、円筒部５１の内周面が蓋体の装着筒部３５の外周面と嵌合することで、蓋体１２に外蓋１３が被着される。また、外蓋１３を蓋体１２に被着したとき、蓋体１２の軸線Ｍと外蓋１３の軸線Ｎとは、一致する。
【００３０】
次に、以上のような構成の蓋付カップ容器１の開封方法について説明する。
まず、外蓋１３を取り外す。そして、押下部４４を下方に向けて押し下げ、回動板４１及び側壁部３１を接続しているブリッジ部３６と、回動板４１及び立上部３２Ａを接続しているブリッジ部３８とを破断する（図５（ａ）参照）。これにより、切刃部材３３が起立状態から開放されてヒンジ部４５の回動軸回りで回動可能となり、切刃部４２及び副切刃部４３それぞれの先端がシール部材２５と当接する。この状態で押下部４４をさらに押し下げることにより、切刃部４２がシール部材２５を破断する（図５（ｂ）参照）。また、副切刃部４３は、切刃部４２と同様にシール部材２５を破断し、切刃部４２によってシール部材２５に形成された開口と異なる位置に開口を形成する。そして、回動板４１は、開口部３７を塞ぎ、閉状態となる。
このとき、押下部４４の先端部が回動防止凸部３９Ａと当接することにより、回動板４１が天面部３２よりも下方に回動することが防止される。また、押下部４４の先端部が回動防止凸部３９Ａ、３９Ｂと係合することにより、切刃部材３３の閉状態が保持される。
【００３１】
ここで、押下部４４が飲口部４６と離間して形成されているため、押下部４４の押下時に指などが飲口部４６に触れない。また、切刃部材３３が閉状態で保持されて天面部３２よりも下方に回動しないため、押下部４４を押下することにより指などがカップ本体１１内に入り込まない。
そして、切刃部４２が４本の切刃梁部４７を有しており、それぞれ異なる方向を向く複数の切刃口部４８が形成されているため、切刃部４２により破断されたシール部材２５が切刃口部４８のすべてに貼り付くことが抑制され、飲口部４６が塞がりにくくなる。
【００３２】
以上のようにして、シール部材２５を開封する。これにより、ユーザ（消費者）は、カップ本体１１内の飲料を飲むことができる。
ここで、飲口部４６が側壁部３１の近傍に形成されているため、ユーザ（消費者）の口と飲口部４６との距離が短くなり、飲料を飲みやすくなる。また、切刃部４２によってシール部材２５に形成された開口を介して飲料などを外部に取り出すが、切刃部４２によって形成された開口が飲料の流通によって塞がると、カップ本体１１内の飲料などの量が減少することに伴う内圧の変化により、飲料などが開口を流通しにくくなる。しかし、副切刃部４３による他の開口がシール部材２５に形成されるため、開口が飲料などで塞がれてもカップ本体１１の内圧変化が抑制される。
【００３３】
本実施形態における蓋付カップ容器１によれば、切刃部材３３を閉状態にしてシール部材２５の開封を行うため、飲料などが飲口部４６以外の部分から外部に飛散しにくくなり、押下部４４と飲口部４６とが離間しているため、シール部材２５の開封時において内容物に指などが触れにくくなって衛生的である。
【００３４】
また、ブリッジ部３６、３８により切刃部材３３の起立状態が保持されるため、流通時の振動などによってシール部材２５が切刃部材３３によって破断されることを防止できる。そして、回動防止凸部３９Ａ、３９Ｂにより切刃部材３３の閉状態が保持されるため、開封後に飲料などを飲むときなどにおいて切刃部材３３が回動して飲料が漏出することを防止すると共に、押下部４４の押下時において回動板４１が天面部３２よりも下方に回動して指などがカップ本体１１内に入り込むことをより確実に防止できる。
【００３５】
さらに、切刃部４２及び副切刃部４３によりシール部材２５の複数箇所に開口が形成されており、切刃部４２により形成された開口が飲料で塞がってもカップ本体１１の内圧変化が抑制されるため、飲料などをスムーズに取り出せる。また、切刃部４２にそれぞれ異なる方向を向く複数の切刃口部４８が形成されることによっても、切刃部４２により破断されたシール部材２５が切刃口部４８のすべてに貼り付きにくくなるため、飲料などをスムーズに取り出せる。
【００３６】
なお、本発明は上記実施形態に限定されるものではなく、本発明の趣旨を逸脱しない範囲において種々の変更を加えることができる。
例えば、切刃部の構造は、４本の切刃梁部を接続した構造に限らず、例えば図６（ａ）に示すように、下方に向けて突出する側面視でほぼ三角形状をなす４枚の切刃板部１００それぞれが上面視でほぼ十字状をなすように接続した構造の切刃部１０１であってもよく、図６（ｂ）に示すように、飲口部４６の縁部に沿って３枚の切刃板部１０２を平面視でほぼコ字状をなすように接続した構造の切刃部１０３であってもよく、図６（ｃ）に示すように、飲口部４６の縁部に沿って４枚の切刃板部１０４を平面視でほぼ矩形状をなすように接続した枠構造の切刃部１０５であってもよく、他の構造であってもよい。そして、副切刃部の構造は、切刃部と同様に、４本の副切刃梁部を接続した構造に限られず、例えば中実の構造など、他の構造であってもよい。
また、飲口部の形状は、平面視ほぼ矩形状に限らず、例えば平面視円状や多角形状など、他の形状であってもよい。
そして、切刃部は、飲口部の縁部に形成されているが、飲口部の縁部から離間して形成されてもよい。
【００３７】
また、起立状態保持部は、回動板に接続されたブリッジ部により形成されているが、切刃部材の起立状態を保持できれば、蓋体の径方向内方に向けて突出して起立状態にある切刃部材を係止する係止凸部など、他の構造であってもよく、設けなくてもよい。
同様に、閉状態保持部は、回動板の押圧部が係止される回動防止凸部により形成されているが、切刃部材の閉状態を保持できれば、他の構造であってもよく、設けなくてもよい。
そして、切刃部材は、切刃部と副切刃部とを有しているが、少なくとも切刃部を有していればよく、内容物をスムーズに取り出すことができれば副切刃部を有さなくてもよく、２以上の副切刃部を有していてもよい。
さらに、シール部材は、アルミ蒸着シートなどのバリア性シート材で構成されたものに限らず、カップ本体内の内容物に応じて適宜変更してもよい。
【産業上の利用可能性】
【００３８】
この発明によれば、切刃部材により開封する際に指などがカップ本体内の内容物に触れることなく衛生的であると共に、内容物が外部に飛散することを防止できる蓋付カップ容器に関して、産業上の利用可能性が認められる。
【図面の簡単な説明】
【００３９】
【図１】本発明の一実施形態における蓋付カップ容器であって切刃部材の閉状態を示す軸方向断面図であって、
【図２】図１における切刃部材の起立状態を示すＡ−Ａ矢視断面図である。
【図３】図１のＢ−Ｂ矢視断面図である。
【図４】図１の切刃部を示す裏面斜視図である。
【図５】シール部材の開封動作を説明する説明図である。
【図６】本発明を適用可能な他の切刃部を示す斜視図である。
【符号の説明】
【００４０】
１  蓋付カップ容器
１１  カップ本体
１２  蓋体
１３  外蓋
２１  開放端
２５  シール部材
３２  天面部
３３  切刃部材
３６，３８  ブリッジ部（起立状態保持部）
３７  開口部
３９Ａ，３９Ｂ  回動防止凸部（閉状態保持部）
４１  回動板
４２，１０１，１０３，１０５  切刃部
４３  副切刃部
４４  押下部
４５  ヒンジ部
４６  飲口部（取出口部）
４７  切刃梁部
【図１】
0005145061.tif 000002
【図２】
0005145061.tif 000003
【図３】
0005145061.tif 000004
【図４】
0005145061.tif 000005
【図５】
0005145061.tif 000006
【図６】
0005145061.tif 000007